(57)【要約】【課題】レセプタクルコネクタとプラグコネクタの嵌合時における座屈防止機能を備えたコネクタを提供することを目的とする。【解決手段】相手コネクタと嵌合可能なコネクタであって、ハウジングと、コネクタと相手コネクタの嵌合側とは反対側から嵌合側に向かってハウジングの端子収容部に取り付けられるコンタクトを備える。コネクタと相手コネクタの嵌合時にコンタクトの接点が相手コネクタのコンタクトと接触してハウジング側に退避するとともに接点の退避側に突出する突部がハウジング内に退避されるようになっており、ハウジングには退避した突部と接触可能な突出部が設けられている。【選択図】図１
2009048978.tif 000002
【特許請求の範囲】
【請求項１】
相手コネクタと嵌合可能なコネクタであって、
ハウジングと、
前記コネクタと前記相手コネクタの嵌合側とは反対側から前記嵌合側に向かって前記ハウジングの端子収容部に取り付けられるコンタクトと、を備え、
前記コネクタと前記相手コネクタの嵌合時に前記コンタクトの接点が前記相手コネクタのコンタクトと接触して前記ハウジング側に退避するとともに前記接点の退避側に突出する突部が前記ハウジング内に退避されるようになっており、前記ハウジングには退避した前記突部と接触可能な突出部が設けられていることを特徴とするコネクタ。
【請求項２】
前記接点は、前記ハウジングから露出し且つ前記ハウジング内に退避可能とされており、前記突部は、前記端子収容部内で前記接点の退避側に突出する請求項１に記載のコネクタ。
【請求項３】
前記接点及び前記突部は、前記ハウジングに固定される固定部に自由長を介して接続された接触部に設けられている請求項１又は２に記載のコネクタ。
【請求項４】
前記突出部は、前記端子収容部内において、前記突部の突出方向とは逆方向に突出し且つ前記突部よりも前記嵌合側から遠い側に配置される請求項１乃至３のいずれかに記載のコネクタ。
【請求項５】
前記コネクタと前記相手コネクタの嵌合時に、前記コンタクトを利用して形成された前記相手コネクタの凹状の嵌合空間に前記ハウジングと前記接触部を利用して形成された前記コネクタの凸状の嵌合突出部が嵌まることにより、前記接点が前記凹状の嵌合空間の一部を形成する前記コンタクトと接触するとともに前記ハウジング内に前記突部とともに退避される請求項３に記載のコネクタ。
【請求項６】
前記コンタクトは更に、前記自由長を介して前記固定部と一体的に形成された他の接触部を有し、前記他の接触部は、前記コンタクトを前記ハウジングに取り付けたときに前記接点の対向側で前記ハウジングから露出し且つ前記ハウジング内に退避可能な他の接点を有し、前記コネクタと前記相手コネクタの嵌合時に、前記相手コネクタのコンタクトを利用して形成された凹状の嵌合空間に前記コネクタの前記ハウジングと前記接触部及び前記他の接触部を利用して形成された凸状の嵌合突出部が嵌まることにより、前記接点と前記他の接点は前記凹状の嵌合空間によって両側から挟み込まれて前記ハウジング内に前記突部とともに退避される請求項５に記載のコネクタ。
【請求項７】
前記固定部、前記接触部、及び、前記他の接触部は、前記コネクタと前記相手コネクタの嵌合方向と交差する方向において、この順番で配置されている請求項６に記載のコネクタ。
【請求項８】
前記コンタクトを前記ハウジングに取り付ける際、前記コンタクトの前記接触部と前記他の接触部は、前記固定部と前記他の接触部の間に形成された自由長を利用して弾性変位可能とされ、前記コンタクトを前記ハウジングに取り付けた後は、前記コンタクトの前記他の接触部は、前記接触部と前記他の接触部の間に形成された自由長を利用して弾性変位可能とされる請求項６又は７に記載のコネクタ。
【請求項９】
相手コネクタと嵌合可能なコネクタであって、
ハウジングと、
前記コネクタと前記相手コネクタの嵌合側とは反対側から前記嵌合側に向かって前記コネクタと前記相手コネクタの嵌合方向に沿って前記ハウジングの端子収容部に取り付けられるコンタクトと、を備え、
前記コンタクトは、前記ハウジングに固定される固定部と、自由長を介して前記固定部と一体的に形成された第一接触部と第二接触部を有し、
前記第一接触部は、前記嵌合方向と交差する方向において前記ハウジングから露出し且つ前記ハウジング内に退避可能な接点と、前記嵌合方向と交差する方向において前記端子収容部内で前記接点の退避側に突出する突部を有し、
前記第二接触部は、前記嵌合方向と交差する方向において前記接点の対向側で前記ハウジングから露出し且つ前記ハウジング内に退避可能な第二接点を有し、
前記ハウジングは、前記嵌合方向と交差する方向において前記突部の突出方向とは逆方向に突出し且つ前記嵌合方向において前記突部よりも前記嵌合側から遠い側に配置された突出部を前記端子収容部内に有し、
前記コネクタと前記相手コネクタの嵌合時に、前記相手コネクタのコンタクトを利用して形成された凹状の嵌合空間に前記ハウジングと前記第一接触部及び前記第二接触部を利用して形成された前記コネクタの凸状の嵌合突出部が嵌まることにより、前記第一接点と前記第二接点が前記凹状の嵌合空間の一部を形成する前記コンタクトと接触するとともに両側から挟み込まれて前記ハウジング内に前記突部とともに退避されるようになっており、退避した前記突部は前記突出部と接触可能であることを特徴とするコネクタ。
【発明の詳細な説明】
【技術分野】
【０００１】
本発明は、座屈防止機能を備えたコネクタに関する。
【背景技術】
【０００２】
近年、電子機器の小型化に伴い、同軸ケーブルの細線化が進み、これに対応して、細線化された同軸ケーブルを用いた低背実装型のコネクタが所望されるようになっている。この種の低背実装型コネクタは、液晶表示部を備えたユニットと、キー操作部を備えたユニットとを、回動部（ヒンジ部）を介して取り付けるタイプの携帯電話機やノートパソコン等に広く使用されている。
【０００３】
図７に、特開２００５−３３２６３２号公報に開示された低背実装型の従来電気コネクタの一例を分解断面図で示す。この従来コネクタ１は、プラグコネクタ１１とレセプタクルコネクタ２１の対から成る。
【０００４】
レセプタクルコネクタ２１は、主に、ハウジング２２と、このハウジング２２に並列に配列された複数のコンタクト２３から成る。コンタクト２３は、ハウジング２２の底面に設けた端子挿入孔２２ａを通じて収容溝２４に挿入され、挿入方向に沿って延びる圧入固定部２３ｃを利用してハウジング２２に圧入固定される。使用時には、レセプタクルコネクタ２１は基板２５に載置され、コンタクト２３は基板２５に半田によって固定される。レセプタクルコネクタ２１は、これらハウジング２２とコンタクト２３により、基板２５上で凸状の嵌合突出部２６を形成する。
【０００５】
一方、プラグコネクタ１１は、主に、ハウジング１２と、このハウジング１２に並列に配列された複数のコンタクト１３と、ハウジング１２の一部を覆うグランドシェル１４から成る。コンタクト１３には同軸ケーブル１５が接続され、この同軸ケーブル１５を介して、コンタクト１３は、外部と電気的に接続される。プラグコネクタ１１は、特にハウジング１２とコンタクト１３により、凸状のレセプタクルコネクタ２１に対応して、凹状の嵌合空間１６を形成する。
【０００６】
プラグコネクタ１１とレセプタクルコネクタ２１の嵌合時、プラグコネクタ１１側の凹状の嵌合空間１６には、レセプタクルコネクタ２１側の凸状の嵌合突出部２６が圧入される。この結果、レセプタクルコネクタ２１側のコンタクト２３とプラグコネクタ１１側のコンタクト１３は、収容溝２４から進退可能なコンタクト２３の接触部２３ｅを退避させるようにしてコンタクト１３の垂直部１７と接触し、プラグコネクタ１１とレセプタクルコネクタ２１の間で電気的な接続が達成される。
【０００７】
【特許文献１】特開２００５−３３２６３２号公報
【発明の開示】
【発明が解決しようとする課題】
【０００８】
しかしながら、この従来構成では、レセプタクルコネクタ２１のコンタクト２３は、ハウジング２２の底面、即ち、プラグコネクタ１１とレセプタクルコネクタ２１の嵌合側とは反対側から、嵌合側に向かって、プラグコネクタ１１とレセプタクルコネクタ２１の嵌合方向に沿って挿入され、また、挿入方向に沿って延びる圧入固定部２３ｃを利用してハウジング２２に圧入固定されることとなっているため、プラグコネクタ１１とレセプタクルコネクタ２１の嵌合時に、例えば、接触部２３ｅにおいて、レセプタクルコネクタ２１がプラグコネクタ１１から圧入固定部２３ｃの挿入（圧入）方向とは正反対の力を受け、この結果、接触部２３ｅが折れ曲がって座屈してしまったり、圧入固定部２３ｃによる固定部がこのような力に耐え切れなくなってレセプタクルコネクタ２１のコンタクト２３が座屈してしまうおそれがある。コネクタの低背化及びピッチの狭小化が進むにつれ、使用されるコンタクトも薄く強度が低いものとなっており、このような危険も大きなものとなっている。更に、コンタクト２３は基板２５に支持されるが、装置の小型化に伴い、薄型で不安定なフレキシブル基板が多く使用されるようになっており、このような不安定なフレキシブル基板では、プラグコネクタ１１からの力に十分に耐えることは困難である。
【０００９】
本発明は、このような従来技術における問題点を解決するためになされたものであり、プラグコネクタ１１とレセプタクルコネクタ２１の嵌合時に、レセプタクルコネクタ２１のコンタクト２３がプラグコネクタ１１から受ける力にも十分耐え得るよう、座屈防止機能を備えたコネクタを提供することを目的とする。
【課題を解決するための手段】
【００１０】
本発明の一つの観点によれば、相手コネクタと嵌合可能なコネクタであって、ハウジングと、前記コネクタと前記相手コネクタの嵌合側とは反対側から前記嵌合側に向かって前記ハウジングの端子収容部に取り付けられるコンタクトと、を備え、前記コネクタと前記相手コネクタの嵌合時に前記コンタクトの接点が前記相手コネクタのコンタクトと接触して前記ハウジング側に退避するとともに前記接点の退避側に突出する突部が前記ハウジング内に退避されるようになっており、前記ハウジングには退避した前記突部と接触可能な突出部が設けられていることを特徴とするコネクタが提供される。
【００１１】
上記コネクタにおいて、前記接点は、前記ハウジングから露出し且つ前記ハウジング内に退避可能とされており、前記突部は、前記端子収容部内で前記接点の退避側に突出する。また、前記接点及び前記突部は、前記ハウジングに固定される固定部に自由長を介して接続された接触部に設けられている。更に、前記突出部は、前記端子収容部内において、前記突部の突出方向とは逆方向に突出し且つ前記突部よりも前記嵌合側から遠い側に配置される。
【００１２】
上記コネクタにおいて、前記コネクタと前記相手コネクタの嵌合時に、前記コンタクトを利用して形成された前記相手コネクタの凹状の嵌合空間に前記ハウジングと前記接触部を利用して形成された前記コネクタの凸状の嵌合突出部が嵌まることにより、前記接点が前記凹状の嵌合空間の一部を形成する前記コンタクトと接触するとともに前記ハウジング内に前記突部とともに退避されるようになっていてもよい。
【００１３】
また、上記コネクタにおいて、前記コンタクトは更に、前記自由長を介して前記固定部と一体的に形成された他の接触部を有し、前記他の接触部は、前記コンタクトを前記ハウジングに取り付けたときに前記接点の対向側で前記ハウジングから露出し且つ前記ハウジング内に退避可能な他の接点を有し、前記コネクタと前記相手コネクタの嵌合時に、前記相手コネクタのコンタクトを利用して形成された凹状の嵌合空間に前記コネクタの前記ハウジングと前記接触部及び前記他の接触部を利用して形成された凸状の嵌合突出部が嵌まることにより、前記接点と前記他の接点は前記凹状の嵌合空間によって両側から挟み込まれて前記ハウジング内に前記突部とともに退避されるようになっていてもよい。
【００１４】
また、上記コネクタにおいて、前記固定部、前記接触部、及び、前記他の接触部は、前記コネクタと前記相手コネクタの嵌合方向と交差する方向において、この順番で配置されていてもよい。
【００１５】
また、上記コネクタにおいて、前記コンタクトを前記ハウジングに取り付ける際、前記コンタクトの前記接触部と前記他の接触部は、前記固定部と前記他の接触部の間に形成された自由長を利用して弾性変位可能とされ、前記コンタクトを前記ハウジングに取り付けた後は、前記コンタクトの前記他の接触部は、前記接触部と前記他の接触部の間に形成された自由長を利用して弾性変位可能とされていてもよい。
【００１６】
また、本発明の別の観点によれば、相手コネクタと嵌合可能なコネクタであって、ハウジングと、前記コネクタと前記相手コネクタの嵌合側とは反対側から前記嵌合側に向かって前記コネクタと前記相手コネクタの嵌合方向に沿って前記ハウジングの端子収容部に取り付けられるコンタクトと、を備え；前記コンタクトは、前記ハウジングに固定される固定部と、自由長を介して前記固定部と一体的に形成された第一接触部と第二接触部を有し；前記第一接触部は、前記嵌合方向と交差する方向において前記ハウジングから露出し且つ前記ハウジング内に退避可能な接点と、前記嵌合方向と交差する方向において前記端子収容部内で前記接点の退避側に突出する突部を有し；前記第二接触部は、前記嵌合方向と交差する方向において前記接点の対向側で前記ハウジングから露出し且つ前記ハウジング内に退避可能な第二接点を有し；前記ハウジングは、前記嵌合方向と交差する方向において前記突部の突出方向とは逆方向に突出し且つ前記嵌合方向において前記突部よりも前記嵌合側から遠い側に配置された突出部を前記端子収容部内に有し；前記コネクタと前記相手コネクタの嵌合時に、前記相手コネクタのコンタクトを利用して形成された凹状の嵌合空間に前記ハウジングと前記第一接触部及び前記第二接触部を利用して形成された前記コネクタの凸状の嵌合突出部が嵌まることにより、前記第一接点と前記第二接点が前記凹状の嵌合空間の一部を形成する前記コンタクトと接触するとともに両側から挟み込まれて前記ハウジング内に前記突部とともに退避されるようになっており；退避した前記突部は前記突出部と接触可能であることを特徴とするコネクタが提供される。
【発明の効果】
【００１７】
本発明によれば、低背実装型のコネクタにおいて、効果的にコンタクトの座屈を防止することができる。
【発明を実施するための最良の形態】
【００１８】
以下、添付図面を参照しつつ、本発明の好適な一実施形態による低背実装型の電気コネクタについて説明する。
【００１９】
図１は、本発明によるレセプタクルコネクタ３０を相手コネクタであるプラグコネクタ５０と嵌合させた状態である電気コネクタ４０を示す斜視図、図２は、プラグコネクタ５０のみの斜視図、図３は、レセプタクルコネクタ３０のみの斜視図である。更に、図４に、図１の中心（Ａ−Ａ線）断面図、図５に、図２の中心（Ｂ−Ｂ線）断面図、図６に、図３の中心（Ｃ−Ｃ線）断面図をそれぞれ示す。
【００２０】
図１、図４によく示されているように、電気コネクタ４０は、着脱自在とされたレセプタクルコネクタ３０とプラグコネクタ５０の対から成る。レセプタクルコネクタ３０とプラグコネクタ５０は、プラグコネクタ５０側の凹状の嵌合空間５５にレセプタクルコネクタ３０側の凸状の嵌合突出部９０を嵌入することによって互いに嵌合され得る。
【００２１】
図２、図４、図５によく示されているように、プラグコネクタ５０は、主に、絶縁性の樹脂製ハウジング５１と、このハウジング５１に、例えば、約０．３ｍｍの狭ピッチで並列に配列された複数のコンタクト５２と、ハウジング５１の外部を覆う金属製のグランドシェル５３から成る。プラグコネクタ５０は同軸ケーブル２０を接続した状態で使用する。同軸ケーブル２０は公知のもので足り、例えば、図４、図５に示すように、その外周側から外部絶縁被覆２０ａ、外部導体２０ｂ、内部絶縁被覆２０ｃ、内部導体２０ｄを有し、各同軸ケーブル２０の外部導体２０ｂはグランドバー２０ｅを介してグランドシェル５３と電気的に接続される。
【００２２】
ハウジング５１は、コンタクト５２を配列するため長手方向（端子配列方向）に延びる端子配列部５６と、この端子配列部５６の左右各側に突出した圧入部５７から成る。同軸ケーブル２０を固定するため、端子配列部５６の後側には、同軸ケーブル２０の一部を収容する凹部５１ａが設けてある。凹部５１ａは上方に向かって開口部を有し、同軸ケーブル２０を端子配列部５６に固定する際、この開口部を通じて、凹部５１ａにグランドバー２０ｅによって一体化された複数の同軸ケーブル２０が配置される。そして、各同軸ケーブル２０の内部導体２０ｄが対応するコンタクト５２の後端部５２ｃに半田付けされる。そして、グランドシェル５３をハウジング５１の上方から取り付けることによって開口部を閉じ、同軸ケーブル２０をハウジング５１に固定できる。このとき、グランドシェル５３に設けられた孔５９に半田を流してグランドバー２０ｅとグランドシェル５３とを電気的に接続させる。端子配列部５６の前側には、嵌合空間５５を形成するため凹部５１ｃが設けてある。更に、凹部５１ｃ及びその周辺には、コンタクト５２を配列固定する溝状の端子収容部５１ｄが設けてある。嵌合空間５５は、これら凹部５１ｃとコンタクト５２を利用して形成される。
【００２３】
コンタクト５２は、例えば、平らな薄い金属板を打抜くことにより形成される。コンタクト５２は、コの字部５２ａと、コの字部５２ａと連続し且つコの字部５２ａの開口部を逆にした形状を有する折返し部５２ｂと、折返し部５２ｂと連続し且つ後端に向かって水平に延出された後端部５２ｃを含む。コの字部５２ａは、下方に開口部を有した状態でプラグコネクタ５０の凹部５１ｃに設置される。また、折返し部５２ｂは、プラグコネクタ５０の凹部５１ａと凹部５１ｃの間に形成された下方に突出した突部５１ｅに固定される。後端部５２ｃは、プラグコネクタ５０の凹部５１ａ前側に設けた平坦部５１ｆに固定される部分であって、後端部５２ｃの上部には、同軸ケーブル２０の内部導体２０ｄが半田付けされる。なお、コンタクト５２とハウジング５１とを一体に成形（一体成形）することもできる。
【００２４】
グランドシェル５３は、ハウジング５１の略全面を覆う。但し、コンタクト５２が露出するハウジング５１の底面（レセプタクルコネクタ３０との嵌合側）と、同軸ケーブル２０が延びるハウジング５１の後部、及び、ハウジング５１の側面等は除かれる。グランドシェル５３は、ハウジング５１の上部を覆う部分５３ａと、前面を覆う部分５３ｂ、更に、後面の一部を覆う部分５３ｃを含む。特に上部を覆う部分５３ａは、グランドバー２０ｅを介して、同軸ケーブル２０の外部導体２０ｂと電気的に接続される。この結果、外部導体２０ｂは、グランドシェル５３（やレセプタクルコネクタ３０のグランドシェル３３）を介してグランドに接続され、また、グランドシェル５３は、レセプタクルコネクタ３０とプラグコネクタ５０の嵌合時に、レセプタクルコネクタ３０側のコンタクト７０の一部を覆ってノイズを減少させる働きを有する。なお、グランドシェル５３の部分５３ｂ、５３ｃには、グランドシェル５３をハウジング５１に取付固定する係合機構５４ａ、５４ｂが設けられている。
【００２５】
図３、図４、図６によく示されているように、レセプタクルコネクタ３０は、主に、絶縁性の樹脂製ハウジング３１と、このハウジング３１に、プラグコネクタ５０のコンタクト５２に対応して、例えば、約０．３ｍｍの狭ピッチで並列に配列された複数のコンタクト７０と、ハウジング３１の外部を覆う金属製のグランドシェル３３から成る。レセプタクルコネクタ３０は、その底面の一部を基板（図示されていない）に固定した状態で使用する。基板は、例えば、フレキシブル基板等のような、底部があまり安定していないものであってもよい。
【００２６】
コンタクト７０は、例えば、平らな薄い金属板を打抜くことによって一体的に形成できる。コンタクト７０は、基部７０ａと、この基部７０ａから水平方向に延出した基板固定部７０ｂ、７０ｂ’、基部７０ａから垂直上方に延びる圧入固定部７０ｃ、基部７０ａから基板固定部７０ｂ、７０ｂ’の対向側に水平方向に延出した弾性アーム部（自由長）７０ｄ、更に、弾性アーム部７０ｄの先端部と中間部それぞれにおいて垂直上方に延びる第一接触部８０及び第二接触部８１を含む。第一接触部８０及び第二接触部８１は、レセプタクルコネクタ３０とプラグコネクタ５０の嵌合時に、プラグコネクタ５０側のコンタクト５２と接触して電気信号の伝達を行う。基板固定部７０ｂは、コンタクト７０を基板に固定する際、基板に半田付けされる。基板固定部には、基部７０ａからの延出距離が短い基板固定部７０ｂと、それが長い基板固定部７０ｂ’が混在する。これら２タイプの基板固定部７０ｂ、７０ｂ’は、１ピッチ毎に交互に配置され、このような配置とすることにより、相隣り合うコンタクトの基板固定部同士の距離を大きくして、半田付け作業を容易にしてある。圧入固定部７０ｃは、ハウジング３１に固定される部分となる。圧入固定部７０ｃには、圧入固定用の外部突出部７０ｃ’が設けてある。弾性アーム部７０ｄは、第一接触部８０や第二接触部８１に弾性力を付与する。特に、コンタクト７０をハウジング３１に取り付ける際、圧入固定部７０ｃと第二接触部８１の間に形成された比較的長い自由長（図６の矢印「ア」の長さ）を利用することによって、第一接触部８０と第二接触部８１を上下に比較的大きく弾性変位させることができる。更に、コンタクト７０をハウジング３１に取り付けた後も、第一接触部８０と第二接触部８１の間に形成された比較的短い自由長（図６の矢印「イ」の長さ）を利用して、第二接触部８１を弾性変位させることができる。但し、後者の場合の変位量は自由長が短い分小さくなる。尚、弾性アーム部７０ｄによる弾性力を増すため、弾性アーム部７０ｄは第一接触部８０や第二接触部８１が設けられた先端側に向かって多少先細７０ｄ’に形成してある。
【００２７】
ハウジング３１は、コンタクト７０を配列するため長手方向（端子配列方向）に延びる端子配列部３４と、この端子配列部３４の左右両端から端子配列部３４に直交する方向に平行に延びる２本のアーム部３５から成る。アーム部３５の先端には、レセプタクルコネクタ３０とプラグコネクタ５０の嵌合時に、端子配列部３４との間でプラグコネクタ５０の圧入部５７の部分を圧入させる圧入突起部３１ｃが設けてある。端子配列部３４は、圧入固定部３１ａと端子収容部３１ｂを含む。圧入固定部３１ａには、コンタクト７０の圧入固定部７０ｃを圧入させる圧入孔３２ａが設けてあり、端子収容部３１ｂには、コンタクト７０の第一接触部８０及び第二接触部８１を弾性変位可能な状態で配置する配置部３２ｂ、３２ｂ’が座屈防止部３２ｃによって隔てた状態で設けてある。コンタクト７０は、レセプタクルコネクタ３０とプラグコネクタ５０の嵌合側（図６における上側）とは反対側（図６における下側）から嵌合側に向かって、レセプタクルコネクタ３０とプラグコネクタ５０の嵌合方向に沿って端子収容部３１ｂに取り付けられる。プラグコネクタ５０側の嵌合空間５５と嵌り合う嵌合突出部９０は、特に、端子収容部３１ｂと第一接触部８０、第二接触部８１を利用して形成される。
【００２８】
コンタクト７０をハウジング３１に取り付けたとき、第一接触部８０は、レセプタクルコネクタ３０とプラグコネクタ５０の嵌合方向と交差する方向においてハウジング３１から露出し且つハウジング３１内に退避可能な第一接点８０ｂと、レセプタクルコネクタ３０とプラグコネクタ５０の嵌合方向と交差する方向において端子収容部３１ｂ内で第一接点８０ｂの退避側に突出する座屈防止用の突部８０ｃとを、弾性片部８０ａを介して形成し得る。突部８０ｃに対応して、端子収容部３１ｂ内の座屈防止部３２ｃには、レセプタクルコネクタ３０とプラグコネクタ５０の嵌合方向と交差する方向において突部８０ｃの突出方向とは逆方向に突出し且つレセプタクルコネクタ３０とプラグコネクタ５０の嵌合方向において突部８０ｃよりもレセプタクルコネクタ３０とプラグコネクタ５０の嵌合側から遠い側に配置された突出部３２ｃ’が設けてある。
一方、コンタクト７０をハウジング３１に取り付けたとき、第二接触部８１は、レセプタクルコネクタ３０とプラグコネクタ５０の嵌合方向と交差する方向において第一接点８０ｂの対向側でハウジング３１から露出し且つハウジング３１内に退避可能な第二接点８１ｂを、弾性片部８１ａ及びＵ字部８１ｃを介して形成し得る。レセプタクルコネクタ３０とプラグコネクタ５０の嵌合時には、プラグコネクタ５０の凹状の嵌合空間５５にレセプタクルコネクタ３０の凸状の嵌合突出部９０が嵌まり、第一接点８０ｂと第二接点８１ｂは、嵌合空間５５の一部を形成するコンタクト５２のコの字部５２ａの垂直部５８ａ、５８ｂによって両側から挟み込まれるようにしてコンタクト５２と接触し、この結果、第一接点８０ｂおよび第二接点８１ｂ、更に、突部８０ｃは、ハウジング３１（端子収容部３１ｂ）内に退避される。
【００２９】
コンタクト７０をハウジング３１に取り付ける際、コンタクト７０の第一接触部８０から突出した突部８０ｃは、ハウジング３１の座屈防止部３２ｃの外部突出部３２ｃ’と衝突し得る。しかしながら、第一接触部８０の弾性片部８０ａの弾性力、及び、圧入固定部７０ｃと第二接触部８１の間に形成された比較的長い自由長（図６の矢印「ア」の長さ）による弾性力を利用しつつ、第一接触部８０の傾斜面８２が座屈防止部３１の傾斜面３６に摺動することにより、第一接触部８０及びその周辺部分は変位し、この結果、突部８０ｃは外部突出部３２ｃ’を乗り越えて、第一接触部８０が配置部３２ｂに嵌め込まれる。尚、この場合でも、第二接触部８１は、第二接触部８１の弾性片部８１ａやＵ字部８１ｃの弾性力や、第一接触部８０と第二接触部８１の間に形成された比較的短い自由長（図６の矢印「イ」の長さ）によって十分なバネ性を発揮し得る。一旦、突部８０ｃが配置部３２ｂに配置されると、たとえ、レセプタクルコネクタ３０とプラグコネクタ５０の嵌合時に、レセプタクルコネクタ３０がプラグコネクタ５０によってハウジング３１の底側（図６の矢印「ウ」方向）、即ち、レセプタクルコネクタ３０とプラグコネクタ５０の嵌合側からその反対側に向かってレセプタクルコネクタ３０とプラグコネクタ５０の嵌合方向に沿った力を受けたときであっても、配置部３２ｂ側に突出した第一接触部８０の座屈防止用の突部８０ｃと、これと相補形状とされたハウジング３１の外部突出部３２ｃ’とが互いに接触することでコンタクト７０の変形が抑制され、コンタクト７０の座屈を効果的に防止できる。また、プラグコネクタ５０をレセプタクルコネクタ３０に嵌合させる場合、プラグコネクタ５０の凹状の嵌合空間５５をレセプタクルコネクタ３０の凸状の嵌合突出部９０の上方に位置させ、プラグコネクタ５０をレセプタクルコネクタ３０に向けて移動させる。これにより、コンタクト５２の垂直部５８ｂが、コンタクト７０の第二接触部８１におけるハウジング３１から露出した傾斜面８３に接触してコンタクト７０には矢印「ウ」方向に力が加わり、コンタクト７０が矢印ウ側に変形し得る。しかし、所定量以上コンタクト７０が変形した場合には、第一接触部８０の突部８０ｃが座屈防止部３２ｃの外部突出部３２ｃ’に引っ掛かることで所定量以上の変形が抑制され、結果、コンタクト７０の座屈が効果的に防止される。尚、突部８０ｃと第一接点８０ｂは、互いに近接して、例えば、レセプタクルコネクタ３０とプラグコネクタ５０の嵌合方向と交差する方向において対向側に設けるのが好ましい。これにより、突部８０ｃとハウジング３１の外部突出部３２ｃ’との衝突時にも、第一接点８０ｂをより安定した位置に保持し、プラグコネクタ５０側のコンタクト５２との接触をより確実にすることができる。
【００３０】
グランドシェル３３は、ハウジング３１の略全面を覆う。但し、第一接触部８０と第二接触部８１が露出する端子収容部３１ｂと、基板固定部７０ｂ、７０ｂ’、及び、ハウジング３１の側面等は除かれる。グランドシェル３３には、圧入固定部３１ａの上部を覆う部分３３ａと、アーム部３５の上部を覆う部分３３ｂ、及び、圧入突起部３１ｃの上部を覆う部分３３ｃが含まれる。特に、圧入固定部３１ａの上部を覆う部分３３ａの両端部若しくはアーム部３５の上部を覆う部分３３ｂの端部には、ハウジング３１の係止凹部３１ｄに係止して、グランドシェル３３をハウジング３１に固定するための係止突起３３ｅが設けてある。また、圧入突起部３１ｃの上部を覆う部分３３ｃの前側下端部３３ｄは基板にグランド接続され、また、レセプタクルコネクタ３０とプラグコネクタ５０の嵌合時には、レセプタクルコネクタ３０とプラグコネクタ５０は、グランドシェル３３とグランドシェル５３の接触を通じて電気的に接続されることから、レセプタクルコネクタ３０とプラグコネクタ５０は電気的に一体としてグランドに接続され得る。尚、レセプタクルコネクタ３０とプラグコネクタ５０の嵌合時には、レセプタクルコネクタ３０側のコンタクト７０とプラグコネクタ５０側のコンタクト５２は、グランドシェル３３とグランドシェル５３によってそれらの上部を略完全に覆われるため、ノイズの影響を受けにくくすることができる。
【００３１】
図４によく示されているように、レセプタクルコネクタ３０とプラグコネクタ５０が嵌合されたとき、端子収容部３１ｂの外部に進退可能に突出した第一接触部８０の第一接点８０ｂと第二接触部８１の第二接点８１ｂは、それぞれプラグコネクタ５０のコンタクト５２における垂直部５８ａ、５８ｂと接触し、レセプタクルコネクタ３０のコの字部５２ａの対向する端子部間に両側から挟み込んだ状態とされ、この結果、レセプタクルコネクタ３０のコンタクト７０とプラグコネクタ５０のコンタクト５２は、所定の接圧で例えば２点で接触される。この構成により、コンタクト５２とコンタクト７０を確実に接触させることができ、コネクタ３０、５０間の高い接触信頼性が得られる。
【００３２】
上の実施形態では、電気コネクタを一例に挙げて説明したが、本発明は、電気コネクタに限らず、光電気複合型コネクタ等、他の様々なタイプのコネクタに応用できる。したがって、本発明は、電気コネクタに限定されるものではない。また、上の実施形態では、圧入固定部７０ｃ、第一接触部８０、及び、第二接触部８１を、レセプタクルコネクタ３０とプラグコネクタ５０の嵌合方向と交差する方向において、この順番で配置される例を示したが、圧入固定部７０ｃを、第一接触部８０と第二接触部８１の間に挟み込む位置、換言すれば、第一接触部８０、圧入固定部７０ｃ、及び、第二接触部８１を、レセプタクルコネクタ３０とプラグコネクタ５０の嵌合方向と交差する方向において、この順番で配置するようにしてもよい。この場合でも、座屈を効果的に防止することができる。故に、本願発明は、このような実施形態をも含むものである。
【産業上の利用可能性】
【００３３】
座屈防止機能を要する様々なコネクタに応用することができる。
【図面の簡単な説明】
【００３４】
【図１】本発明による電気コネクタの斜視図である。
【図２】プラグコネクタのみの斜視図である。
【図３】レセプタクルコネクタのみの斜視図である。
【図４】図１のＡ−Ａ線断面図である。
【図５】図２のＢ−Ｂ線断面図である。
【図６】図３のＣ−Ｃ線断面図である。
【図７】低背実装型の従来電気コネクタの一例を示す分解断面図である。
【符号の説明】
【００３５】
２０  同軸ケーブル
２０ａ  外部絶縁被覆
２０ｂ  外部導体
２０ｃ  内部絶縁被覆
２０ｄ  内部導体
２０ｅ  グランドバー
３０  レセプタクルコネクタ
３１  ハウジング
３１ａ  圧入固定部
３１ｂ  端子収容部
３１ｃ  圧入突起部
３１ｄ  係止凹部
３２ａ  圧入孔
３２ｂ、３２ｂ’  配置部
３２ｃ  座屈防止部
３２ｃ’  外部突出部
３３  グランドシェル
３３ｄ  前側下端部
３３ｅ  係止突起
３４  端子配列部
３５  アーム部
３６  傾斜面
４０  電気コネクタ
５０  プラグコネクタ
５１  ハウジング
５１ａ  凹部
５１ｂ  後壁
５１ｃ  凹部
５１ｄ  端子収容部
５１ｅ  突部
５１ｆ  平坦部
５２  コンタクト
５２ａ  コの字部
５２ｂ  折返し部
５２ｃ  後端部
５３  グランドシェル
５４  係合機構
５５  嵌合空間
５６  端子配列部
５７  圧入部
５８  垂直部
５９  孔
７０  コンタクト
７０ａ  基部
７０ｂ  基板固定部
７０ｃ  圧入固定部
７０ｃ’  外部突出部
７０ｄ  弾性アーム部
７０ｄ’  先細部
８０  第一接触部
８０ａ  弾性片部
８０ｂ  第一接点
８０ｃ  突部
８１  第二接触部（他の接触部）
８１ａ  弾性片部
８１ｂ  第二接点（他の接点）
８１ｃ  Ｕ字部
８２  傾斜面
８３  傾斜面
９０  嵌合突出部
【図１】
2009048978.tif 000003
【図２】
2009048978.tif 000004
【図３】
2009048978.tif 000005
【図４】
2009048978.tif 000006
【図５】
2009048978.tif 000007
【図６】
2009048978.tif 000008
【図７】
2009048978.tif 000009